(57)【要約】【課題】建物の壁面に嵌合底部を嵌め込む埋め込み穴形状線を罫書く際に、嵌合底部を完全に嵌め込むことができる形状線を簡単に罫書くことができる合成樹脂製半埋め込みボックスを提供する。【解決手段】建物１の壁面２に当接する載置部を３有し、載置部３より突出して壁面２に形成した埋め込み穴４に嵌め込む嵌合底部５を有する。嵌合底部５はその先端面の外形よりも載置部３側の外形の方が成形上大きく形成される。そこで複数の突部６を嵌合底部５の外周側面に形成し、嵌合底部５を壁面２に当接して、壁面２に埋め込み穴形状線を描くとき、嵌合底部５の載置部３側の外形が嵌まることができるように描くことができる。【選択図】        図１
2005278308.tif 000002
【特許請求の範囲】
【請求項１】
建物の壁面に当接する載置部を有し、前記載置部より突出して前記壁面に形成した埋め込み穴に嵌め込む嵌合底部を有する合成樹脂製半埋め込みボックスにおいて、
前記嵌合底部はその先端面の外形よりも前記載置部側の外形の方が成形上大きく形成され、前記壁面に前記埋め込み穴を形成する前に前記嵌合底部を前記壁面に当接して前記壁面に埋め込み穴形状線を描くとき、前記嵌合底部の前記載置部側の外形が嵌まることができるように描くことができる複数の突部を、前記嵌合底部の外周側面に形成したことを特徴とする合成樹脂製半埋め込みボックス。
【請求項２】
前記突部は、前記嵌合底部を前記壁面に当接したとき前記壁面に突き刺しできる突起を有する請求項１記載の合成樹脂製半埋め込みボックス。
【発明の詳細な説明】
【技術分野】
【０００１】
本発明は、建物の壁面に半埋め込みする合成樹脂製半埋め込みボックスに関するものである。
【背景技術】
【０００２】
従来、住宅分電盤等の合成樹脂製半埋め込みボックスを建物の壁面に半埋め込みするには、住宅分電盤の嵌合底部を建物の壁面に当接して、嵌合底部の先端の外形に沿うように、罫書具で壁面に罫書き、罫書いた線に沿って壁面に埋め込み穴を形成し、この埋め込み穴に嵌合底部を埋め込んで、住宅分電盤を半埋め込み状態で壁面の内部で取着していた。
【０００３】
しかしながら、半埋め込みボックスは合成樹脂製であるため、載置部から嵌合凹部を突出した状態に成形するとき、金型の抜き勾配のため嵌合底部の外周側面は嵌合底部の付根となる載置部側から先端に掛けて先細となるように傾斜した形状となるので、嵌合底部の先端の外形に罫書具を合わせて壁面に罫書くと、嵌合底部が小さくなってしまい、嵌合底部を埋め込み穴内に完全に埋め込むことができず、載置部が壁面から浮いた状態となり、そのため再度、壁面を切りとって埋め込み穴を適当に形成する必要があり、大変煩わしいという問題があった。あるいは上記のように罫書いた線を基準により大きい線をさらに罫書くことにより埋め込み穴を形成することも可能であるが、やはり手間がかかる。
【０００４】
そこで、特許文献１のように、直接合成樹脂製ボックスを建物の壁面に合わせて罫書くのではなく、この合成樹脂製ボックスを半埋め込みするための化粧枠に罫書用溝を形成し、この罫書用溝に沿って罫書具で壁面を罫書き、埋め込み穴を形成するものがあったが、化粧枠という余分な部材が必要であった。
【特許文献１】特許第3305203号公報
【発明の開示】
【発明が解決しようとする課題】
【０００５】
本発明は、かかる事由に鑑みて成されたものであり、その目的とするところは、建物の壁面に嵌合底部を嵌め込む埋め込み穴形状線を罫書く際に、載置部が壁面から浮くことなく嵌合底部を完全に嵌め込むことができる形状線を簡単に罫書くことができる合成樹脂製半埋め込みボックスを提供することにある。
【課題を解決するための手段】
【０００６】
この発明の合成樹脂製半埋め込みボックスは、建物の壁面に当接する載置部を有し、前記載置部より突出して前記壁面に形成した埋め込み穴に嵌め込む嵌合底部を有する。前記嵌合底部はその先端面の外形よりも前記載置部側の外形の方が成形上大きく形成される。複数の突部を前記嵌合底部の外周側面に形成し、前記嵌合底部を前記壁面に当接して、前記壁面に埋め込み穴形状線を描くとき、前記嵌合底部の前記載置部側の外形が嵌まることができるように描くことを可能にする。
【０００７】
上記構成において、前記突部は、前記嵌合底部を前記壁面に当接したとき前記壁面に突き刺しできる突起を有する。
【発明の効果】
【０００８】
この発明の合成樹脂製半埋め込みボックスによれば、建物の壁面に嵌合底部の先端を当て、突部の位置毎に印をつけ、それらを結んで埋め込み穴を形成する。その結果、嵌合底部の載置部の外形に等しいまたはそれよりも大きい埋め込み穴を形成することができ、嵌合底部を埋め込み穴に完全に嵌め込むことができ、載置部を壁面に当接することができる。
【０００９】
また突部に突起を設け、壁面に突起を突き刺して傷を付けると、印をつける作業が省け、埋め込み穴を形成する外形を描きやすい。
【発明を実施するための最良の形態】
【００１０】
この発明の一実施の形態を図１から図４により説明する。すなわち、この合成樹脂製半埋め込みボックスは、建物１の壁面２に当接する載置部３を有し、載置部３より突出して壁面２に形成した埋め込み穴４に嵌め込む嵌合底部５を有する。実施の形態において、埋め込みボックス本体８は長方体形状であり、その底面を載置部３とし、嵌合底部５はボックス本体８の外形に沿った四角形をなしている。
【００１１】
嵌合底部５はその先端面５ａの外形よりも載置部３側の付根５ｂの外形の方が、成形上大きく形成されている。すなわち、載置部３から突出する嵌合底部５を成形する際の金型の抜き勾配により、壁面２の嵌め込み穴４内に位置する嵌合底部５の先端面５ａと、壁面２に載置される載置部３側の付根５ｂとの間の外周側面が先端面５ａ側から付根５ｂに掛けて外方へ傾斜する形状となっている。このため、嵌合底部５の先端面５ａを建物１の壁面２にあてて先端面５ａ側の外周側面に沿って四角形状の線を引き、その線に沿って埋め込み穴４を形成しても、埋め込み穴４の周囲に載置部３を載置する形で半埋め込みボックスを配設することができない。
【００１２】
そこで、複数の突部６を嵌合底部５の外周側面に形成し、これにより嵌合底部５を壁面２に当接して壁面２に埋め込み穴形状線７を描くとき、嵌合底部５の載置部３側の付根５ｂの外形が嵌まることができるように描くことを可能にしている。すなわち、壁面２に埋め込み穴形状線７を描く場合、突部６に沿って壁面２に印を付け、その印同士を結ぶことにより描くと、嵌合底部５の載置部３側の付根の形状またはそれより大きい形状線が得られる。実施の形態では、突部６を、外周側面の四角上に突出し、かつ嵌合底部５の付根５ｂから先端側にかけて載置部３に対して垂直に垂下するリブにより形成している。このリブは外周側面の一部であるので成形可能である。さらに突部６は、嵌合底部５を壁面２に当接したとき壁面２に突き刺しできる突起９を嵌合底部５の先端面５ａよりも突出して形成している。
【００１３】
したがって、壁面２に埋め込み穴形状線７を描く場合、第１の描き方として、各リブの先端の突起９を建物１の壁面２にあて、その位置毎に印をつけ、その印同士を結ぶと開けるべき大きさの埋め込み穴４を正確に作成することができる。第２の描き方として、リブの先端の突起９が建物１の壁面２よりも硬い場合、突起９を壁面２に押しつけて壁面２に傷をつけ、半埋め込みボックスを建物１の壁面２から外して、4つの傷を結ぶと開けるべき大きさの埋め込み穴を作成することができる。第２の描き方の場合は一々ボックスを持ちながら筆記用具等で印をつける必要がない。
【００１４】
このようにして形成された埋め込み穴４に嵌合底部５を挿入すると完全に嵌合底部５を挿入することができ、載置部３を壁面２の埋め込み穴４の周囲に載置することができる。この状態で嵌合底部５を壁面２内の構造体などに取着し固定する。
【図面の簡単な説明】
【００１５】
【図１】この発明の一実施の形態の壁面取付前の、部分拡大図のある斜視図である。
【図２】嵌合底部を壁面に当接し埋め込み穴形状線を描いた状態の斜視図である。
【図３】その部分断面図である。
【図４】埋め込み穴に嵌合底部を嵌め込んだ状態の部分断面図である。
【符号の説明】
【００１６】
１  建物
２  壁面
３  載置部
４  埋め込み穴
５  嵌合底部
６  突部
７  埋め込み穴形状線
８  ボックス本体
９  突起
【図１】
2005278308.tif 000003
【図２】
2005278308.tif 000004
【図３】
2005278308.tif 000005
【図４】
2005278308.tif 000006